(57)【要約】      （修正有）【課題】無駄な消費電力を減らすことが可能な無線通信端末、通信制御方法及び制御プログラムを提供する。【解決手段】ハンドオーバ機能を備える無線通信端末であって、ハンドオーバ機能の設定状態と設定解除状態とを切換える手動の設定切換手段を備える。また、ハンドオーバ機能の設定解除状態で、セルサーチ機能を停止する。さらに、ハンドオーバ機能の設定解除状態で、基地局を切り換える手動の基地局切換手段を備える無線通信端末。【選択図】図１
2009284352.tif 000002
【特許請求の範囲】
【請求項１】
ハンドオーバ機能を有する無線通信端末であって、
ハンドオーバ機能を設定状態と設定解除状態との間で切換える手動の設定切換手段を備えることを特徴とする無線通信端末。
【請求項２】
ハンドオーバ機能の設定解除状態で、セルサーチ機能を停止することを特徴とする請求項１記載の無線通信端末。
【請求項３】
ハンドオーバ機能の設定解除状態で、接続中の基地局を切換える手動の基地局切換手段を備えることを特徴とする請求項１又は２記載の無線通信端末。
【請求項４】
前記基地局の切換えは、ハンドオーバ機能を設定状態とし、基地局の切換わり後、ハンドオーバ機能を設定解除状態とする切換えであることを特徴とする請求項３記載の無線通信端末。
【請求項５】
前記設定切換手段又は基地局切換手段は、操作入力部に設けた専用の切換入力手段であることを特徴とする請求項３又は４記載の無線通信端末。
【請求項６】
ハンドオーバ機能を有する無線通信端末の通信制御方法であって、
無線通信端末の手動の設定切換手段の操作に応じて、前記ハンドオーバ機能を設定状態又は設定解除状態に切換える制御を行うことを特徴とする無線通信端末の通信制御方法。
【請求項７】
前記ハンドオーバ機能の設定解除状態で、セルサーチ機能を停止することを特徴とする請求項６記載の無線通信端末の通信制御方法。
【請求項８】
ハンドオーバ機能の設定解除状態で、無線通信端末の手動の基地局切換手段の操作に応じて、接続中の基地局を切換える制御を行うことを特徴とする請求項６又は７記載の無線通信端末の通信制御方法。
【請求項９】
前記基地局の切換えは、前記ハンドオーバ機能を設定状態とし、基地局の切換わり後、ハンドオーバ機能を設定解除状態とする切換え制御であることを特徴とする請求項８記載の無線通信端末の通信制御方法。
【請求項１０】
前記設定切換手段又は基地局切換手段は、無線通信端末の操作入力部に設けた専用の切換入力手段であることを特徴とする請求項８又は９記載の無線通信端末の通信制御方法。
【請求項１１】
ハンドオーバを制御する無線通信端末の制御プログラムであって、
無線通信端末の手動の設定切換手段の操作を検出するステップと、前記設定切換手段の操作に応じて、ハンドオーバ機能を設定状態又は設定解除状態に切換えるステップと、をコンピュータに実行させることを特徴とする無線通信端末の制御プログラム。
【請求項１２】
ハンドオーバ機能の設定解除状態で、セルサーチ機能を停止するステップを含むことを特徴とする請求項１１記載の無線通信端末の制御プログラム。
【請求項１３】
ハンドオーバ機能の設定解除状態で、手動の基地局切換手段の操作に応じて、接続中の基地局を切換えるステップを含むことを特徴とする請求項１１又は１２記載の無線通信端末の制御プログラム。
【請求項１４】
前記基地局を切換えるステップは、ハンドオーバ機能を設定状態へ切換えるステップと、基地局の切換わり後、ハンドオーバ機能を設定解除状態へ切換えるステップを含むことを特徴とする請求項１３記載の無線通信端末の制御プログラム。
【請求項１５】
前記設定切換手段又は基地局切換手段は、無線通信端末の操作入力部に設けた専用の切換入力手段であることを特徴とする請求項１３又は１４記載の無線通信端末の制御プログラム。
【発明の詳細な説明】
【技術分野】
【０００１】
本発明は、ハンドオーバ機能を有する無線通信端末、該無線通信端末の通信制御方法及び制御プログラムに関する。
【背景技術】
【０００２】
Ｗ−ＣＤＭＡ（符号分割多重）方式の移動通信システムでは、移動通信端末は同時に複数の基地局と個別のチャネルにより接続され、同一のデータを下りリンクでは複数のセル経由で送信し、上りリンクでは複数のセルで受信するハンドオーバ（ソフトハンドオーバ）制御を行っている。
【０００３】
また移動通信端末は、ＲＡＫＥ受信機を複数持つことで複数の基地局から同じ電波を受けつつ、ＲＡＫＥ合成によって一つの信号とみなしながら受信することでハンドオーバを行い、高品質の通信を可能としているが、このＲＡＫＥ受信機を多数使うことにより無線通信端末の消費電力が大きくなるというリスクも抱えている。
【０００４】
更に移動通信端末は、通信を行っている基地局のセルに隣接する基地局の周辺セル全てを次のハンドオーバ対象としてセルサーチを実施しており、このセルサーチは非通信状態でも行われる処理であるため、セルサーチによる消費電力を低減することは重要である。
【０００５】
本発明の関連技術として、特許文献１には、セルサーチ中に携帯電話機が無線部で静止していると判断した場合に、在圏セルのモニター（電界レベルの計測）周期及びリセレクション（セルの入れ替え）周期を伸ばし、無駄な電力消費を防ぐようにした端末装置が記載されている。
【０００６】
また特許文献２には、無線通信端末の外部に、該無線通信端末のハンドオーバを抑制する抑制信号を出力するハンドオーバ抑制装置（ＡＣアダプタ）を備え、無線通信端末をハンドオーバ抑制装置（ＡＣアダプタ）に接続し前記抑制信号を受信すると、その時点で帰属している無線基地局に固定し、前記抑制信号を受信している限り、他の無線基地局へのハンドオーバを行わないように制御して、過剰なハンドオーバを抑制し安定した通信品質で無線基地局と接続する無線通信システムが記載されている。
【特許文献１】特開２００５−２９５０３７号公報
【特許文献２】特開２００８−２２０８８号公報
【発明の開示】
【発明が解決しようとする課題】
【０００７】
特許文献１記載の端末装置は、アクティブセルの所定期間の不変を判定して、モニター周期やリセレクション周期を延長するものであるが、前記周期を延長するのでは電力消費を充分に減らすことはできない。一方、特許文献２記載の無線通信システムは、ハンドオーバ抑制装置（ＡＣアダプタ）に接続すると無線通信端末のハンドオーバ制御が停止するから、この接続状態では無線通信端末の消費電力が抑えられると考えられるが、ハンドオーバ抑制装置（ＡＣアダプタ）は無線通信端末とは独立した装置であり、ハンドオーバ抑制装置（ＡＣアダプタ）と接続されず抑制信号を受信しない状況では無線通信端末が静止状態にあってもハンドオーバ動作が行われ、無駄な電力を消費する。
【０００８】
（目的）
本発明の目的は、以上の問題を解消することが可能な無線通信端末、通信制御方法及び制御プログラムを提供することにある。
【課題を解決するための手段】
【０００９】
本発明の第１の無線通信端末は、ハンドオーバ機能を有する無線通信端末であって、ハンドオーバ機能を設定状態と設定解除状態との間で切換える手動の設定切換手段を備えることを特徴とする。
【００１０】
本発明の第１の通信制御方法は、ハンドオーバ機能を有する無線通信端末の通信制御方法であって、無線通信端末の手動の設定切換手段の操作に応じて、前記ハンドオーバ機能を設定状態又は設定解除状態に切換える制御を行うことを特徴とする。
【００１１】
本発明の第１の制御プログラムは、ハンドオーバを制御する無線通信端末の制御プログラムであって、無線通信端末の手動の設定切換手段の操作を検出するステップと、設定切換手段の操作に応じて、ハンドオーバ機能を設定状態又は設定解除状態に切換えるステップと、をコンピュータに実行させることを特徴とする。
【発明の効果】
【００１２】
本発明によれば、自動ハンドオーバ設定を解除し、再開（自動ハンドオーバ設定）するための手動の設定切換手段を無線通信端末に具備することにより、ユーザは無線通信端末の静止状態等で、適宜、ハンドオーバ機能を停止でき、また、自動ハンドオーバ設定を再開（ハンドオーバ機能を開始）することが可能である。自動ハンドオーバ設定の解除（ハンドオーバ機能の停止）により余計な消費電力を確実に減らすことが可能である。
【００１３】
また、複数の基地局と同時に通信を行っていた場合、自動ハンドオーバ設定を解除することで、通信先の基地局は１つに限定され、ＲＡＫＥ受信や周辺セルサーチ処理などの処理を減らすことができるため、無線通信端末の消費電力を大きく低減することが可能である。
【発明を実施するための最良の形態】
【００１４】
（第１の実施形態）
（構成の説明）
本発明の無線通信端末、通信制御方法及び制御プログラムの実施形態として、携帯電話システムの携帯電話機への適用例について以下説明する。  
図１は本発明の第１の実施形態の携帯電話機の構成を示す図である。本実施形態の携帯電話機は、表示部１０１、操作入力部１０２、主制御部１０３、無線送受信部１０４及び無線データ制御部１０５により構成される。
【００１５】
表示部１０１は、液晶表示デバイス等のディスプレイを備え、ユーザに各種の動作状況、制御状態等を表示し通知する。
【００１６】
操作入力部１０２は、携帯電話機の筺体に設けられ、ユーザからの制御の内容を主制御部１０３に通知するテンキー、スイッチ、方向キー、電源スイッチ等を備える。特に、主制御部１０３で制御される自動ハンドオーバ動作の設定（オン）／設定解除（オフ）を行う制御信号を手動の設定切換手段としてユーザの操作入力部１０２の操作により入力可能である。
【００１７】
ここで、前記設定／解除の制御信号はオン／オフ信号等とし、手動の設定切換手段として専用のキー、スイッチ（切換入力手段）等を設け、切換えの制御信号を主制御部１０３に入力するように構成することができる。また、前記表示部１０１上のメニュー画面に前記設定／解除の選択メニューを設け、方向キー等を使用して主制御部１０３の自動ハンドオーバ動作の設定／解除を制御するように構成することができる。
【００１８】
無線送受信部１０４は、例えば複数のＲＡＫＥ受信機等を備え、無線区間のアナログ信号の送受信機能を有する。無線データ制御部１０５は、無線送受信部１０４が受信したアナログ信号を復調し、デジタルデータに変換し、主制御部１０３に出力する機能と、主制御部１０３から入力したデジタルデータをアナログ信号に変調し、無線送受信部１０４に出力する機能と、無線送受信部１０４で計測された基地局別の受信電力値を主制御部１０３に通知する機能、主制御部１０３からのＲＡＫＥ受信機への制御を通知する機能等を有する。
【００１９】
主制御部１０３は発着信、通話機能等、携帯電話機の各種の制御機能全般を司るとともに、基地局別の前記受信電力値を無線データ制御部１０５から入力し、ハンドオーバ（ソフトハンドオーバ）制御により通信を継続し移動通信を可能とする通常動作の機能と、操作入力部１０２からの入力によりハンドオーバ制御を解除し、特定基地局とのみ通信を行う固定動作（固定接続）の機能、セルサーチ機能、通常動作状態と固定動作状態とを切換える切換え機能、無線送受信部１０４のＲＡＫＥ受信機の動作を制御する機能等、を有する。なお、ハンドオーバ機能の詳細に関しては説明を省略する。
【００２０】
図２は第１の実施形態の通信制御の処理フローチャートを示す図である。本実施形態の処理フローチャートは、電源投入を行うステップＳ１１と、通常動作状態で動作するステップＳ１２と、手動の設定切換手段によるユーザの自動ハンドオーバ設定、設定解除の選択を判断するステップＳ１３と、特定の基地局とのみ通信を行う固定動作状態で動作するステップＳ１４と、手動の設定切換手段によるユーザの自動ハンドオーバ設定の再開の選択を判断するステップＳ１５と、からなる。
【００２１】
（動作の説明）
図３は第１の実施形態の携帯電話機の在圏状況を示す図である。以下、第１の実施形態の処理動作を図２に示す処理フローチャートと図３を用いて説明する。
【００２２】
いま、携帯電話機１は電源未投入状態であって、図３に示すように３つの基地局２、基地局３、基地局４のそれぞれのセル２０、セル３０、セル４０の境界に近い位置で静止状態にあり、当該位置から移動しないものとする。また、その位置での各基地局２、３、４からの受信電力値の大きさの関係は、常時、基地局２＞基地局３＞基地局４の関係となっていると仮定する。
【００２３】
ステップＳ１１でユーザの操作により携帯電話機１の操作入力部１０２の電源スイッチが投入されると、携帯電話機１は基地局２によるセル２０と、基地局３によるセル３０、基地局４によるセル４０の計３つのセル範囲内に存在することにより通常動作状態となる。
【００２４】
携帯電話機１は通常動作状態では、ステップＳ１２で主制御部１０３は初期セルサーチを行い、基地局２、３、４の計３局と同期を取った上で、ソフトハンドオーバ制御を行う。また、主制御部１０３は無線送受信部１０４から各基地局周辺のセルサーチを実施する。
【００２５】
次にステップＳ１３で、主制御部１０３は操作入力部１０２から手動で自動ハンドオーバ設定を解除する入力操作が検出されたか否かを判断し、設定解除の操作が検出されなければステップＳ１２に戻り、設定解除の操作が検出されまでステップＳ１２、１３の動作を繰り返し、この間、主制御部１０３はハンドオーバ機能が有効な通常動作状態を続ける。
【００２６】
また、ステップＳ１３でユーザの設定解除の操作が検出されると、ステップＳ１４に移行し、主制御部１０３は自動ハンドオーバ機能を停止し、無線送受信部１０４を制御し、設定解除時に受信電力値が一番高い、例えば図３に示す基地局２とのみ通信を継続し、基地局３、４への通信を中断する。さらにこのとき主制御部１０３はハンドオーバのための周辺基地局へのセルサーチ機能を停止させる。
【００２７】
次に、ステップＳ１５で、主制御部１０３は自動ハンドオーバ機能を停止し基地局２とのみ通信している状態で、操作入力部１０２から自動ハンドオーバ設定を開始（再開）するユーザの入力操作が検出されたか否かを判断し、再開する操作が検出されれば、主制御部１０３はステップＳ１２に移行して通常動作状態を再開してセルサーチ及び自動ハンドオーバ動作を再開する。
【００２８】
また、ステップＳ１５で通常動作状態を再開する入力操作が検出されなければ、ステップＳ１４に戻り、通常動作状態を再開する操作が検出されるまでステップＳ１４、１５の動作を繰り返し、この間、主制御部１０３はハンドオーバ機能が停止し、特定基地局とのみ通信を続ける。
【００２９】
以上のように、第１の実施形態では、ユーザは携帯電話機１を移動させない場合に操作入力部１０２から自動ハンドオーバ機能を無効とし、特定基地局とのみ通信を行うように設定することができる。これにより、無線送受信部１０４、主制御部１０３等でのセルサーチやハンドオーバ制御を停止することができるから、電力消費を確実に抑制することが可能である。また、ユーザが携帯電話機１を移動させる場合は、操作入力部１０２を操作して自動ハンドオーバ機能を有効にすることで、セル間の移動があっても通信を可能とする通常動作に復帰させることが可能である。
【００３０】
例えば、ユーザがある特定のセル内から動かないと判断した場合、携帯電話機の操作入力部の手動操作により自動ハンドオーバ設定を解除し、ハンドオーバ機能を停止することで、同時に複数の基地局と通信を行っている状態から、通信先の基地局を１つに限定し、ＲＡＫＥ受信や周辺セルサーチ処理などの処理を減らすことができるから携帯電話機の消費電力を大きく低減することが可能となる。
【００３１】
（第２の実施形態）
第１の実施形態では、自動ハンドオーバ設定を解除すると、特定基地局との通信のみに固定される結果、ハンドオーバ機能を停止させたときに瞬間的にのみ受信電力の高かった基地局とのみ通信することになった場合など、携帯電話機がたまたま受信電力値の低い基地局に固定して接続された場合には、通信品質上の問題が生じ得る。また、移動しないとして自動ハンドオーバ設定を解除した携帯電話機を移動させた場合にも同様である。
【００３２】
そこで、第２の実施形態では、このような状況でユーザがセルサーチ及びハンドオーバを間欠的に実行させて、新たな基地局に接続し直すことを可能に構成する。以下、本発明の第２の実施形態の携帯電話機の構成及び動作を説明する。
【００３３】
図４は本発明の第２の実施形態の携帯電話機の構成を示す図である。本実施形態の携帯電話機は、基本的に第１の実施形態と同様であり、表示部１０１、操作入力部１１２、主制御部１１３、無線送受信部１０４及び無線データ制御部１０５により構成される。ここで、表示部１０１、無線送受信部１０４及び無線データ制御部１０５の機能は第１の実施形態と同様である。
【００３４】
また操作入力部１１２は、第１の実施形態と同様の手動の設定切換手段による自動ハンドオーバ機能の設定／設定解除の切換え操作を行う入力機能に加えて、自動ハンドオーバ設定の解除状態での帰属先の基地局の切換えのための手動の基地局切換手段としての入力機能を備える。
【００３５】
手動の基地局切換手段としては、操作入力部１１２にキー、スイッチ等の専用の切換入力手段を設けて切換えの制御信号を主制御部１１３に入力する構成とすることができる。また、前記表示部１０１上のメニュー画面に当該切換えのためのオン／オフ制御等の選択メニューを設け、方向キー等を使用して主制御部１１３に基地局を切換えるよう制御するように構成することができる。
【００３６】
主制御部１１３は、第１の実施形態と同様のハンドオーバ制御機能などに加えて、基地局の切換え機能を備える。基地局の切換え機能は、自動ハンドオーバ機能を利用可能であり、基地局切換え時に、ハンドオーバ機能を設定解除状態からハンドオーバ機能を設定状態とし、基地局の切換わり後、ハンドオーバ機能を設定解除状態とする切換えるハンドオーバ制御（手動ハンドオーバ）により実現される。
つまり、主制御部１１３は自動ハンドオーバ設定の解除状態で、操作入力部１１２からの手動ハンドオーバ処理の開始の操作に基づいて自動ハンドオーバ処理を開始し、他の基地局にハンドオーバすると、当該基地局を特定基地局として固定接続状態に入る制御を行う。
【００３７】
図５は第２の実施形態の通信制御の処理フローチャートを示す図である。本実施形態の処理フローチャートは、第１の実施形態と同様の電源投入を行うステップＳ１１と、通常動作状態で動作するステップＳ１２と、手動の設定切換手段によるユーザの自動ハンドオーバ設定、設定解除の選択を判断するステップＳ１３と、特定の基地局とのみ通信を行う固定動作状態で動作するステップＳ１４と、手動の設定切換手段によるユーザの自動ハンドオーバ設定の再開の選択を判断するステップＳ１５に加えて、手動の基地局切換手段によるユーザのハンドオーバ処理の開始の選択を判断するステップＳ１６と、ハンドオーバ可能な基地局が存在するか否かを判定するステップＳ１７と、ハンドオーバを実施するステップＳ１８と、からなる。
【００３８】
図６は第２の実施形態の携帯電話機の在圏状況を示す図である。以下、第２の実施形態の処理動作を図５の処理フローチャートと図６を用いて説明する。なお、ステップＳ１１からステップＳ１５の動作は第１の実施形態の動作と同様である。
【００３９】
いま、携帯電話機１は電源未投入状態であって、図３に示すように３つの基地局２、基地局３、基地局４のそれぞれのセル２０、セル３０、セル４０の境界に近い位置で静止状態にあり、当該位置から移動しないものとする。また、その位置での各基地局２、基地局３、基地局４からの受信電力値の大きさの関係は、常時、基地局２＞基地局３＞基地局４の関係となっていると仮定する。
【００４０】
ステップＳ１１でユーザの操作により携帯電話機１の操作入力部１１２の電源スイッチが投入されると、携帯電話機１は基地局２によるセル２０と、基地局３によるセル３０、基地局４によるセル４０の計３つのセル範囲内に存在しており通常動作状態となる。
【００４１】
携帯電話機１は通常動作状態では、ステップＳ１２で主制御部１１３は初期セルサーチを行い、基地局２、３、４の計３局と同期を取った上で、ソフトハンドオーバ制御を行う。また、主制御部１１３は無線送受信部１０４から各基地局周辺のセルサーチを実施する。
【００４２】
次にステップＳ１３で、主制御部１１３は操作入力部１１２から手動で自動ハンドオーバ設定を解除する入力操作が検出されたか否かを判断し、設定解除の操作が検出されなければステップＳ１２に戻り、設定解除の操作が検出されまでステップＳ１２、１３の動作を繰り返し、この間、主制御部１１３はハンドオーバ機能が有効な通常動作状態を続ける。
【００４３】
また、ステップＳ１３でユーザの設定解除の操作が検出されると、ステップＳ１４に移行し、主制御部１１３は自動ハンドオーバ機能を停止し、無線送受信部１０４を制御し、設定解除時に受信電力値が一番高い、例えば図６に示す基地局２とのみ通信を継続し、基地局３、４への通信を中断する。さらにこのとき主制御部１１３はハンドオーバのための周辺基地局へのセルサーチ機能を停止させる。
【００４４】
次にステップＳ１５で、主制御部１１３は自動ハンドオーバ機能を停止し基地局２とのみ通信している状態で、操作入力部１１２から自動ハンドオーバ設定を開始（再開）するユーザの入力操作が検出されたか否かを判断し、再開する操作が検出されれば、主制御部１０３はステップＳ１２に移行して通常動作状態となりセルサーチ及び自動ハンドオーバ動作を再開する。
【００４５】
また、ステップＳ１５で自動ハンドオーバ設定を開始（再開）する入力操作が検出されなければ、ステップＳ１６に移行し、主制御部１１３は固定接続している基地局を変更するためのハンドオーバ設定（手動ハンドオーバ）の入力操作の有無を検出し、手動ハンドオーバの処理を開始するか否かを判断する。
ステップＳ１６で主制御部１１３は基地局を変更するための入力操作を検出し、手動ハンドオーバの処理を開始する場合、ステップＳ１７で主制御部１１３はハンドオーバ可能な基地局の存在を確認し、基地局３若しくは基地局４と通信可能か否かを判断し、通信可能な基地局が存在する場合に、ステップＳ１８で、処理開始前に固定接続していた基地局２を除いて一番受信電力の大きい、例えば図３に示す基地局３にハンドオーバを実施する。
【００４６】
また、ステップＳ１８で、例えば基地局３にハンドオーバを実施した後はステップ１４に戻り、主制御部１１３は当該基地局３とのみ通信を継続する。なお、この状態ではステップＳ１５で再度自動ハンドオーバ設定の再開もしくは手動ハンドオーバ処理（ステップＳ１６）を開始するまで基地局３との通信を継続する。
【００４７】
また、ステップ１６で主制御部１１３が基地局を変更するための入力操作を検出せず、自動ハンドオーバの処理を開始しない場合、及び、ステップＳ１７で主制御部１１３がハンドオーバ可能な基地局の存在を確認した際、ハンドオーバ可能な基地局が存在しない場合は、ステップ１４に戻り元の基地局２との通信を継続し、以下、前述と同様のステップＳ１５〜Ｓ１７の判断（処理）を繰り返す。
【００４８】
以上のように、第２の実施形態においても、ユーザは携帯電話機１を移動させない場合は、携帯電話機１の操作入力部１１２から自動ハンドオーバ機能を無効とし、特定基地局とのみ通信を行うように設定することにより、第１の実施形態と同様に無線送受信部１０４、主制御部１１３等でのセルサーチやハンドオーバ制御を停止することができるから、これによる電力消費を抑制することが可能である。また、携帯電話機１を移動させる場合は、操作入力部１１２から自動ハンドオーバ機能を有効とすることで、セル間の移動があっても通信を可能とする通常動作に復帰させることが可能である。
【００４９】
そして更に第２の実施形態では、主制御部１１３は自動ハンドオーバ機能を停止し、特定基地局（帰属先）と接続した状態で、操作入力部１１２から手動ハンドオーバを行う入力操作の機能を携帯電話機に設けられていることにより、帰属先の基地局をハンドオーバ制御により適宜変更することが可能である。
【００５０】
従って、第２の実施形態では、ハンドオーバ設定の設定解除状態（停止状態）で、接続中の基地局を切換える基地局切換手段（帰属先の基地局の変更を可能とする入力手段）を具備することにより、帰属先の基地局を他の好適な基地局に変更して固定接続することが可能である。つまり、前記手動の基地局切換手段によりハンドオーバ機能を停止させたとき、例えば当該時点で瞬間的にのみ受信電力の高かった基地局とのみ通信することになってしまった場合や、ユーザが受信電力や通信品質の低下等を認識した場合等に、携帯電話機から通信可能又はより通信状態の良好な基地局を探し、その基地局に切り替えて、通信を継続することが可能となる。
【００５１】
（他の実施形態）
以上説明した各実施形態の携帯電話機の通信制御の処理は、主制御部において、ＣＰＵ（中央処理装置）、ＲＯＭ、ＲＡＭ等の各種メモリを用いて処理するコンピュータ処理により実現可能である。
【００５２】
この場合、各実施形態の前述の通信制御を実現するための処理手順及び機能を制御プログラムとして記憶媒体に記憶し、前記記憶媒体から供給される制御プログラムによりコンピュータのＣＰＵに処理させることにより、主制御部は各部を制御し前述の機能を実現する。
【００５３】
また、制御プログラムを供給する記憶媒体としては、例えば前記ＲＯＭ等の各種メモリ、ＦＤ、ハードディスク、ＣＤＲＯＭ等の各種の外部記憶媒体、ネットワークを介して接続される記憶媒体等が使用可能である。本制御プログラムによれば、前述の各実施形態で説明した携帯電話機の各機能を実現させることができる。
【００５４】
以上詳述したように、ハンドオーバ機能を有する無線通信端末が長期に渡って移動することなく静止状態にあり、該無線通信端末が複数の基地局と通信が可能であるが、通常の通信が１つの基地局で十分可能な状況においては、現在接続している１つの基地局を除く周辺基地局とのハンドオーバ制御や周辺基地局へのセルサーチによる通信には無駄な電力を消費する。
【００５５】
本発明によれば、ユーザが手動で自動ハンドオーバ設定を解除できる機能を有し、必要により自動ハンドオーバ設定の解除中は手動でハンドオーバ処理をさせて接続中の基地局を変更することができる機能を有することにより、自動ハンドオーバ設定を解除し、同時に行われる複数の基地局との通信を１つの基地局に限定して、ＲＡＫＥ受信や周辺セルサーチ処理などの処理を減らすことができる。ユーザは本発明の無線通信端末の手動機能を利用することにより無線通信端末の消費電力を低減でき、バッテリー等で動作する無線通信端末の使用時間の延長を図ることも可能である。
【産業上の利用可能性】
【００５６】
本発明は、Ｗ−ＣＤＭＡ方式やＣＤＭＡ２０００やＩＳ−９５等の移動通信端末に限らず、ハンドオーバ機能を有する無線通信端末に適用可能である。
【図面の簡単な説明】
【００５７】
【図１】本発明の第１の実施形態の携帯電話機の構成を示す図である。
【図２】第１の実施形態の通信制御の処理フローチャートを示す図である。
【図３】第１の実施形態の携帯電話機の在圏状況を示す図である。
【図４】本発明の第２の実施形態の携帯電話機の構成を示す図である。
【図５】第２の実施形態の通信制御の処理フローチャートを示す図である。
【図６】第２の実施形態の携帯電話機の在圏状況を示す図である。
【符号の説明】
【００５８】
１  携帯電話機
２、３、４  基地局
２０、３０、４０  セル
１０１  表示部
１０２、１１２  操作入力部
１０３、１１３  主制御部
１０４  無線データ制御部
１０５  無線送受信部
【図１】
2009284352.tif 000003
【図２】
2009284352.tif 000004
【図３】
2009284352.tif 000005
【図４】
2009284352.tif 000006
【図５】
2009284352.tif 000007
【図６】
2009284352.tif 000008